(57)【特許請求の範囲】
【請求項１】
形鋼製の胴差の屋外面の上下縁に、上階外壁材の下縁および下階外壁材の上縁を、各々隙間を介して重ね、上端が前記上階外壁材の裏面と胴差との間の隙間に差し込まれて下端が下階外壁材の屋外面の上縁に位置する胴差水切を設け、前記下階外壁材の屋外面の上縁に取付けられて上向きの係合部を有する化粧胴差受け金具を設け、上下縁が前記上階外壁材の屋外面の下縁と下階外壁材の屋外面の上縁とに各々重なる化粧胴差を設け、この化粧胴差の裏面上部に、前記上階外壁材の下縁をこの化粧胴差の裏面との間で挟む上部固定金具を設け、前記化粧胴差の裏面下部に前記化粧胴差受け金具の前記係合部に係合する下向きの被係合部を設け、前記化粧胴差の裏面の上縁と上階外壁材との間にガスケットを圧入した化粧胴差水切構造。
【請求項２】
前記胴差水切の下部は、下階外壁材の上端面に重なる水平板部が屋外側へ折曲形成され、その先端から下階外壁材の屋外面の上縁に重なる立下り片が延びたものであり、前記化粧胴差受け金具は、前記胴差水切の前記水平板部および立下り片に重なる状態で水平方向に延びて前記下階外壁材の屋外面に固着具で固定されたものであり、前記化粧胴差受け金具の前記係合部は上向きに開くＶ溝状に形成し、前記化粧胴差は前記化粧胴差受け金具の前記固着具の頭を隠す上下幅とした請求項１記載の化粧胴差水切構造。
【発明の詳細な説明】
【０００１】
【発明の属する技術分野】
この発明は、住宅等の建物における外壁の化粧胴差水切構造に関する。
【０００２】
【従来の技術】
この種の従来の化粧胴差水切構造として図２に示すものがある。この例では、上下階の外壁パネル３０Ａ，３０Ｂは、各外壁面材３０ａ，３０ａの上縁および下縁を、面材取付下地３０ｂ，３０ｂの下縁および上縁よりも控えた位置までとし、上下階の面材取付下地３０ｂ，３０ｂの間に化粧胴差３１を重ね、この化粧胴差３１の裏面の上下縁に取付けた固定金具３２をビス３３で前記各面材取付下地３０ｂ，３０ｂに固定し、外壁面材３０ａと化粧胴差３１との間にできる横目地３４にガスケット３５を圧入している。
【０００３】
【発明が解決しようとする課題】
しかし、前記構成では、上下階の外壁面材３０ａ，３０ａ間の寸法Ｌが外壁パネル３０Ａ，３０Ｂの取付誤差等で一定しないため、横目地３４の幅も一定とならず、ときにガスケット３５を圧入できない場合がある。また、化粧胴差３１、固定金具３２、ビス３３等の寸法によって横目地３４の深さが一定せず、この横目地３４に圧入するガスケット３５の仕上がりが悪くなる。さらに、図２（Ｂ）のように化粧胴差３１の上下に横目地３４と、外壁パネル３０間にできる縦目地３６とによって目地がＴ字状や十字状となり、ガスケット３５を圧入して仕上げる目地の仕上がりがさらに悪くなる。
【０００４】
この発明は、このような課題を解消し、仕上がり良く容易に施工できる化粧胴差水切構造を提供することを目的とする。
【０００５】
【課題を解決するための手段】
この発明の化粧胴差水切構造は、次の構成としたものである。形鋼製の胴差の屋外面の上下縁に、上階外壁材の下縁および下階外壁材の上縁を、各々隙間を介して重ねる。胴差水切を、その上端が前記上階外壁材の裏面と胴差との間の隙間に差し込まれ、下端が下階外壁材の屋外面の上縁に位置するように設ける。上向きの係合部を有する化粧胴差受け金具を、前記下階外壁材の屋外面の上縁に取付ける。化粧胴差を、その上下縁が前記上階外壁材の屋外面の下縁と下階外壁材の屋外面の上縁とに各々重なるように設ける。この化粧胴差の裏面上部に、前記上階外壁材の下縁をこの化粧胴差の裏面との間で挟む上部固定金具を設け、前記化粧胴差の裏面下部に前記化粧胴差受け金具の前記係合部に係合する下向きの被係合部を設ける。前記化粧胴差の裏面の上縁と上階外壁材との間にはガスケットを圧入する。
この構成によれば、外壁材に化粧胴差を重ねるので、横目地がなくせ、縦横の目地の交差部がなくなって構成が簡単になる。また、次の手順で簡単に胴差部の施工が行える。上下階の外壁材の施工が完了した後、まず胴差の屋外面に胴差水切を配置し、下階外壁材の屋外面の上縁に化粧胴差受け金具を取付ける。化粧胴差は、その裏面上部に設けた上部金具を上階外壁材の下縁に差し込み、裏面下部に設けた被係合部を前記化粧胴差受け金具の係合部に係合させることで取付ける。この後、化粧胴差の裏面の上縁と上階外壁材との間にガスケットを圧入する。このように、差し込み作業等を主とする簡単な作業で、仕上がり良く容易に施工できる。
【０００６】
前記化粧胴差水切構造において、前記胴差水切の下部を、下階外壁材の上端面に重なる水平板部が屋外側へ折曲形成され、その先端から下階外壁材の屋外面の上縁に重なる立下り片が延びたものとし、前記化粧胴差受け金具を、前記胴差水切の前記水平板部および立下り片に重なる状態で水平方向に延びて前記下階外壁材の屋外面に固着具で固定されたものとし、前記化粧胴差受け金具の前記係合部を上向きに開くＶ溝状に形成し、前記化粧胴差を前記化粧胴差受け金具の前記固着具の頭を隠す上下幅としてもよい。
この構成の場合、胴差水切を直接にビス等で固定するのではなく、化粧胴差受け金具で押え込んで取付けることができるので、省力化が図れる。また、化粧胴差受け金具のＶ溝状の係合部に化粧胴差の被係合部を係合させるので、化粧胴差をガタツキなく固定できる。また、化粧胴差受け金具を固定する固着具はその頭が化粧胴差で覆われるので、より美麗に仕上げることができる。
【０００７】
【発明の実施の形態】
この発明の一実施形態を図１と共に説明する。この実施形態に係る化粧胴差水切構造は、胴差３の屋外側で上下階の外壁パネル１Ａ，１Ｂ間に生じる開放部を化粧胴差８で覆うものである。両外壁パネル１Ａ，１Ｂは、枠組みされた形鋼製のパネルフレーム２に耐水合板等からなる桟状の面材取付下地１ｂを介して無機系等の外壁面材１ａを張り付けたものであり、前記外壁面材１ａと面材取付下地１ｂとで外壁材１が構成される。上下階の外壁パネル１Ａ，１Ｂは、パネルフレーム２を溝形鋼からなる内無機の胴差３の上下面に取付けて固定される。上階の外壁パネル１Ａの外壁材１の下端および下階外壁パネル１Ｂの上端は、各々パネルフレーム２よりも張り出しており、胴差３の屋外面の上下縁に、各々所定の隙間Ｇを介して重なる。
【０００８】
胴差３の屋外面には胴差水切４を設け、その上端は上階外壁パネル１Ａの裏面と胴差３との間の隙間Ｇに差し込み、また胴差水切４の下端は下階外壁パネル１Ｂの屋外面の上縁に位置させる。胴差水切４は、その下部に、下階外壁パネル１Ａの上端面に重なる水平板部４ａを屋外側へ折曲形成すると共に、その先端から下階外壁パネル１Ｂの屋外面の上縁に重なる立下り片４ｂを延設したものとする。この胴差水切４は、化粧胴差８と上下階の外壁パネル１Ａ，１Ｂの間から雨水が侵入した場合に、雨水がそれ以上に屋内側に浸入するのを阻止する役割を果たす。胴差水切４の屋外面の上端には、上階外壁パネル１Ａと胴差３との間の気密を図る気密材５を貼り付けておく。
【０００９】
下階外壁パネル１Ｂの上縁には、上向きの係合部６ａを有する化粧胴差受け金具６を設ける。この化粧胴差受け金具６は、胴差水切４の前記水平板部４ａおよび立下り片４ｂに重なる状態で水平方向に延びるものであり、前記立下り片４ｂよりも下方に延びた部分を、ビス等の固着具７で下階外壁パネル１Ｂの外壁材１の屋外面に固定する。このように化粧胴差受け金具６を固定することで、胴差水切４の下部が押え込み状態に固定され、胴差水切４の固定が兼用される。化粧胴差受け金具６の係合部６ａは上向きに開くＶ溝状に形成する。
【００１０】
化粧胴差８は、上下階の外壁パネル１Ａ，１Ｂ間に、上下縁が上階外壁パネル１Ａの屋外面の下縁と下階外壁パネル１Ｂの屋外面の上縁とに各々重なるように設ける。この化粧胴差８の裏面上部には、前記上階外壁パネル１Ａの外壁材１の下縁を、この化粧胴差８の裏面との間で挟むピース部材である上部固定金具９を設ける。また、化粧胴差８の裏面下部には、化粧胴差受け金具６の係合部６ａに係合するピース部材である下向きの被係合部１０を設ける。このように、化粧胴差８の被係合部１０を、化粧胴差受け金具６のＶ溝状の係合部６ａに係合させることによって、化粧胴差８をガタツキなく取付けることができる。化粧胴差８の上下幅は、前記固着具７の頭を隠す寸法とする。これにより、化粧胴差８を取付けた仕上げ状態で、固着具７の頭が隠れるので、美麗な仕上がりとすることができる。
【００１１】
前記化粧胴差８の裏面の上縁と上階外壁パネル１Ａとの間にはガスケット１１を圧入する。また、化粧胴差８の裏面の下縁には、この化粧胴差３の下縁と下階外壁パネル１Ｂとの間の隙間を塞ぐ隙間塞ぎ材１２を設けておく。
【００１２】
この構成の化粧胴差水切構造によると、施工にあたり、胴差水切４および化粧胴差受け金具６を取付けた後、化粧胴差８の裏面の上部固定金具９を上階外壁パネル１Ａの下縁に差し込み、次いで化粧胴差８の裏面下部の被係合部１０を化粧胴差受け金具６の係合部６ａに差し込むことで、化粧胴差８の取付が行える。また、胴差水切４は前記のように化粧胴差受け金具６で押え込むことで取付けられる。このように、化粧胴差受け金具６のビス止め作業の他は、差し込み作業だけで施工でき、簡単に胴差部の化粧および耐水処理を施すことができる。
【００１３】
このように施工した化粧胴差水切構造では、図１（Ｂ）に正面図で示すように横目地ができないので、左右に並ぶ外壁パネル間にできるできる縦目地１３との間にＴ字状や十字状の目地をつくることもなく、目地へガスッケットを整然と圧入でき、美麗に仕上げることができる。また、化粧胴差８は外壁材１の屋外面に重ねて設けるので、上下階の外壁パネル１Ａ，１Ｂの取付誤差が影響せず、確実な防水性能が得られる。さらに、従来のガスケットの縮みによるガスケット端部の隙間発生の問題が無くなる。
【００１４】
【発明の効果】
この発明の化粧胴差水切構造は、仕上がり良く容易に施工でき、防水性能の向上も図れる。化粧胴差受け金具で胴差水切の下部を押え込んで固定するようにした場合は、施工性が一層向上する。また、化粧胴差受け金具を取付ける固着具の頭を化粧胴差で隠すようにした場合は、仕上げが一層美麗になる。
【図面の簡単な説明】
【図１】（Ａ）はこの発明の一実施形態にかかる化粧胴差水切構造の縦断面図、（Ｂ）は同正面図である。
【図２】（Ａ）は従来例の縦断面図、（Ｂ）は同正面図である。
【符号の説明】
１…外壁材
１Ａ，１Ｂ…外壁パネル
３…胴差
４…胴差水切
４ａ…水平板部
４ｂ…立下り片
６…化粧胴差受け金具
６ａ…係合部
７…固着具
８…化粧胴差
９…上部固定金具
１０…被係合部
１１…ガスケット
【図１】
0003717596.tif 000002
【図２】
0003717596.tif 000003